(57)【要約】【課題】外壁部の開口部の周囲における止水処理を好適に実施することができる建物の壁構造を提供する。【解決手段】外壁部１１にはサッシ枠２１が設けられており、外壁面材１５として、サッシ枠２１の側方には横並び面材１５Ａが配置され、サッシ枠２１の上下には上側面材１５Ｂ及び下側面材１５Ｃが配置されている。外壁面材１５及びサッシ枠２１は、サッシ沿い縦材２２、上側横材２６及び下側横材２７に固定されており、外壁面材１５及びサッシ枠２１と、サッシ沿い縦材２２、上側横材２６及び下側横材２７との間には、背面止水層が挟まった状態で設けられている。背面止水層は、サッシ沿い縦材２２と上側横材２６及び下側横材２７との接続部分に設けられた止水役物を有している。止水役物は、壁高さ方向に延びている役物縦部と、壁幅方向に延びている役物横部とを有している。【選択図】      図１
2015094180.tif 000002
【特許請求の範囲】
【請求項１】
横並びに配置された複数の外壁面材と、前記外壁面材の背面側に設けられ該外壁面材が取り付けられた外壁下地と、前記外壁面材の背面に沿って延びている背面止水層とを含んで外壁部が構成され、該外壁部に形成された壁開口部にサッシ枠が設けられている建物の壁構造であって、
前記複数の外壁面材には、前記外壁部の壁幅方向において前記サッシ枠に横並びに設けられた横並び面材と、前記外壁部の壁高さ方向において前記サッシ枠に縦並びに設けられた縦並び面材とが含まれており、
前記外壁下地は、
前記横並び面材の側端部に沿って設けられ、前記壁高さ方向に延びている縦下地材と、
前記縦並び面材の下端部又は上端部に沿って設けられ、前記縦下地材から前記壁幅方向に延びている横下地材と、
を有しており、
前記背面止水層は、前記縦下地材と前記横下地材との接続部分に対して設けられた止水役物を有しており、
前記止水役物は、
前記縦下地材の屋外側面に重ねられた状態で該縦下地材に沿って前記壁高さ方向に延び、前記横並び面材、前記縦並び面材及び前記サッシ枠の背面側に入り込んでいる役物縦部と、
前記横下地材の屋外側面に重ねられた状態で前記役物縦部の中間部分から前記横下地材に沿って前記壁幅方向に延び、前記縦並び面材及び前記サッシ枠の背面側に入り込んでいる役物横部と、
を有していることを特徴とする建物の壁構造。
【請求項２】
前記背面止水層は、
前記縦下地材の屋外側面に重ねられた状態で前記役物縦部から前記縦下地材に沿って前記壁高さ方向に延びている縦止水部材と、
前記横下地材の屋外側面に重ねられた状態で前記役物横部から前記横下地材に沿って前記壁幅方向に延びている横止水部材と、
を有していることを特徴とする請求項１に記載の建物の壁構造。
【請求項３】
前記サッシ枠の上方には、前記縦並び面材が設けられ、
前記縦並び面材の下端部に沿って前記横下地材が設けられており、
前記横下地材は、屋外側に向けて延出し且つ前記縦並び面材を下方から支持する面材支持部を有しており、
前記役物横部は、
前記面材支持部の上方において前記縦並び面材の背面側に入り込んでいる面材側入り込み部と、
前記面材支持部の下方において前記サッシ枠の背面側に入り込んでいるサッシ側入り込み部と、
前記面材側入り込み部と前記サッシ側入り込み部とを接続している接続部と、
を有しており、
前記接続部は、前記面材支持部を屋外側から覆っていることを特徴とする請求項１又は２に記載の建物の壁構造。
【請求項４】
前記面材支持部は、前記壁幅方向において前記縦下地材から離間した位置に配置されており、
前記役物横部は、前記縦下地材から前記面材支持部までの離間距離よりも大きい長さ寸法を有しており、
前記役物横部の前記接続部分においては、前記面材側入り込み部と前記サッシ側入り込み部との間の長さ寸法が、前記役物縦部から前記面材支持部に近付くにつれて徐々に大きくされていることを特徴とする請求項３に記載の建物の壁構造。
【請求項５】
前記壁下地は、前記外壁面材と前記サッシ枠とが取り付けられるものであり、
前記横下地材は、
前記縦並び面材の背面に沿って延び、該縦並び面材が取り付けられた面材用横部材と、
前記サッシ枠の背面に沿って延び、該サッシ枠が取り付けられたサッシ用横部材と、
を有しており、
前記面材用横部材及び前記サッシ用横部材は、いずれも前記縦下地材から前記幅方向に延びており、
前記役物横部は、前記壁高さ方向において前記面材用横部材と前記サッシ用横部材とに掛け渡された状態で設けられていることを特徴とする請求項１乃至４のいずれか１項に記載の建物の壁構造。
【請求項６】
前記面材用横部材及び前記サッシ用横部材のうち一方の屋外側面が、他方の屋外側面よりも屋外側に配置されていることを特徴とする請求項５に記載の建物の壁構造。
【請求項７】
前記サッシ用横部材は、前記壁幅方向において前記縦下地材に横並びに配置されており、
前記面材用横部材は、前記縦下地材より屋外側に配置され、該縦下地材と前記縦並び面材との間に挟み込まれた状態になっており、
前記壁高さ方向において前記面材用横部材を挟んで前記サッシ枠とは反対側においては、前記縦下地材と前記縦並び面材との間にスペーサ部材が挟み込まれた状態で設けられており、
前記止水役物が前記縦並び面材と前記スペーサ部材との間に挟み込まれていることを特徴とする請求項５又は６に記載の建物の壁構造。
【請求項８】
前記スペーサ部材は、前記縦下地材と前記横並び面材との間にも挟み込まれた状態で設けられており、
前記止水役物が前記横並び面材と前記スペーサ部材との間に挟み込まれていることを特徴とする請求項７に記載の建物の壁構造。
【請求項９】
前記止水役物は、
前記止水役物の外郭を形成する止水シートと、
前記止水シートに重ねられた状態で前記壁高さ方向又は前記壁幅方向に沿って延びており、前記止水シートとの重なり方向に圧縮されることで止水性能を発揮する止水テープと、
を有しており、
前記止水役物においては、前記止水シートと前記止水テープとが重ねられた部分が、前記横並び面材、前記縦並び面材及び前記サッシ枠の背面側に入り込んでおり、
前記止水テープは、
前記役物縦部において、前記横並び面材と前記縦並び面材との境界部を挟んで配置され、前記壁高さ方向に沿って延びている一対の縦テープ部と、
前記役物横部において、前記縦並び面材と前記サッシ枠との境界部を挟んで配置され、前記壁幅方向に沿って延びている一対の横テープ部と、
を有しており、
前記一対の横テープ部は、前記一対の縦テープ部のうち前記サッシ枠側に配置されたサッシ側縦テープ部の中間部分にそれぞれ接続されており、これら横テープ部の間の部分は前記サッシ側縦テープ部が設置されていない非設置部分とされていることを特徴とする請求項１乃至８のいずれか１項に記載の建物の壁構造。
【発明の詳細な説明】
【技術分野】
【０００１】
本発明は、建物の壁構造に関するものである。
【背景技術】
【０００２】
建物の外壁部には複数の外壁面材が取り付けられており、各外壁面材の間には目地が存在する。そして、外壁部の目地部分において止水処理を行う技術が各種提案されている。例えば特許文献１に記載の技術では、外壁目地内に乾式目地止水材が設置されるとともに、その目地止水材に貫通の切り込みが形成され、切り込みを貫通してプレート等の貫通材が設けられることで、貫通材の周囲が乾式目地止水材により止水状態にされるものとなっている。
【０００３】
また、建物の外壁部においては窓等の開口部が設けられるとともに、その開口部にサッシ枠が取り付けられる構成が一般にあり、そのサッシ枠の周囲においても止水処理が行われる。ここで、開口部の開口周縁部には、その周囲の外壁面材が取り付けられる壁下地材として縦材や横材が設けられ、特に開口部の四方の隅部においては縦材に対して横材がＴ字状に接続される構成となっている。この場合、Ｔ字状に交わる縦材及び横材と、その屋外側に取り付けられる外壁面材との間に止水層が設けられる。具体的には、縦材及び横材がＴ字状をなすものであるため、縦材用の止水材と横材用の止水材とを用意し、それらを個別に壁下地材に取り付ける構成となっている。
【先行技術文献】
【特許文献】
【０００４】
【特許文献１】特開２００５−２５６５０９号公報
【発明の概要】
【発明が解決しようとする課題】
【０００５】
しかしながら、上記のように縦材用の止水材と横材用の止水材とを用意してそれらを個別に壁下地材に取り付ける構成では、止水処理を行う際の作業負担が大きくなる。そのため、かかる作業負担の軽減を図るには技術改善の余地があると考えられる。
【０００６】
本発明は、上記事情に鑑みてなされたものであり、外壁部の開口部の周囲における止水処理を好適に実施することができる建物の壁構造を提供することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明の建物の壁構造は、横並びに配置された複数の外壁面材（外壁面材１５）と、前記外壁面材の背面側に設けられ該外壁面材が取り付けられた外壁下地（外壁下地１６）と、前記外壁面材の背面に沿って延びている背面止水層（背面止水層５２）とを含んで外壁部（外壁部１１）が構成され、該外壁部に形成された壁開口部（窓部１２）にサッシ枠（サッシ枠２１）が設けられている建物（建物１０）の壁構造であって、前記複数の外壁面材には、前記外壁部の壁幅方向において前記サッシ枠に横並びに設けられた横並び面材（横並び面材１５Ａ）と、前記外壁部の壁高さ方向において前記サッシ枠に縦並びに設けられた縦並び面材（上側面材１５Ｂ、下側面材１５Ｃ）とが含まれており、前記外壁下地は、前記横並び面材の側端部に沿って設けられ、前記壁高さ方向に延びている縦下地材（サッシ沿い縦材２２）と、前記縦並び面材の下端部又は上端部に沿って設けられ、前記縦下地材から前記壁幅方向に延びている横下地材（上側横材２６、下側横材２７）と、を有しており、前記背面止水層は、前記縦下地材と前記横下地材との接続部分に対して設けられた止水役物（止水役物６３）を有しており、前記止水役物は、前記縦下地材の屋外側面に重ねられた状態で該縦下地材に沿って前記壁高さ方向に延び、前記横並び面材、前記縦並び面材及び前記サッシ枠の背面側に入り込んでいる役物縦部（役物縦部７１）と、前記横下地材の屋外側面に重ねられた状態で前記役物縦部の中間部分から前記横下地材に沿って前記壁幅方向に延び、前記縦並び面材及び前記サッシ枠の背面側に入り込んでいる役物横部（役物横部７２）と、を有していることを特徴とする。
【０００９】
第１の発明によれば、外壁下地が、縦並び面材の側端部に沿って設けられた縦下地材と、縦並び面材の下端部又は上端部に沿って設けられた横下地材とを有しており、これら両下地材の接続部分（Ｔ字状の接続部分）に、背面止水層を構成するための止水役物が設けられている。この場合特に、止水役物は、縦下地材の屋外側面に重ねられた状態で該縦下地材に沿って延びる役物縦部と、横下地材の屋外側面に重ねられた状態で役物縦部の中間部分から横下地材に沿って延びる役物横部と、を有するものであって、言うなればＴ字状に一体成形されるものとなっている。そして、止水役物において、役物縦部が、横並び面材、縦並び面材及びサッシ枠の背面側に入り込んで配置され、役物横部が、縦並び面材及びサッシ枠の背面側に入り込んで配置されることから、壁下地のＴ字状部分について適正なる止水を行わせることができる。また、上記構成の止水役物を用いることにより、外壁部の施工時において縦下地材側の止水作業と横下地材側の止水作業とをまとめて行うことができ、止水処理にかかる作業負担を大いに軽減できる。その結果、外壁部の開口部の周囲における止水処理を好適に実施することができる。
【００１０】
第２の発明では、第１の発明において、前記背面止水層は、前記縦下地材の屋外側面に重ねられた状態で前記役物縦部から前記縦下地材に沿って前記壁高さ方向に延びている縦止水部材（第２止水部材６２）と、前記横下地材の屋外側面に重ねられた状態で前記役物横部から前記横下地材に沿って前記壁幅方向に延びている横止水部材（第１止水部材６１）と、を有している。
【００１１】
第２の発明では、外壁面材の背面側において縦下地材には、止水役物の役物縦部に連なるようにして縦止水部材が設けられ、同じく外壁面材の背面側において横下地材には、止水役物の役物横部に連なるようにして横止水部材が設けられている。この場合、縦下地材及び横下地材において、両下地材の接続部分（Ｔ字部分）とそれ以外の長尺部分とで止水の部材（止水役物、縦止水部材、横止水部材）を使い分けることができ、壁下地の形態に対応させつつ施工性の向上を図ることができる。
【００１２】
また、止水役物は、縦止水部材や横止水部材に比べて形状の複雑さが増すことになるが、上記のとおり複数に分割された部材を用いることで、止水役物として役物縦部や役物横部の長さが相違する複数種類のものを用意しておくことが不要となり、その点でも優位さがあるものとなっている。
【００１３】
第３の発明では、第１又は第２の発明において、前記サッシ枠の上方には、前記縦並び面材（上側面材１５Ｂ）が設けられ、前記縦並び面材の下端部に沿って前記横下地材（上側横材２６）が設けられており、前記横下地材は、屋外側に向けて延出し且つ前記縦並び面材を下方から支持する面材支持部（面材支持部３６）を有しており、前記役物横部は、前記面材支持部の上方において前記縦並び面材の背面側に入り込んでいる面材側入り込み部（入り込み部６１ａ，７２ａ）と、前記面材支持部の下方において前記サッシ枠の背面側に入り込んでいるサッシ側入り込み部（入り込み部６１ｂ，７２ｂ）と、前記面材側入り込み部と前記サッシ側入り込み部とを接続している接続部（接続部６１ｃ，７２ｃ）と、を有しており、前記接続部は、前記面材支持部を屋外側から覆っている。
【００１４】
第３の発明では、縦並び面材において屋外側に向けて延出する面材支持部に役物横部が取り付けられるものとなっており、詳しくは、面材支持部の上方において面材側入り込み部が縦並び面材の背面側に入り込み、かつ面材支持部の下方においてサッシ側入り込み部がサッシ枠の背面側に入り込んでおり、その状態で接続部が面材支持部を屋外側から覆うようになっている。この場合、縦並び面材の支持構造として、横下地材に屋外側に向けて延出する面材支持部が設けられていても、その延出形状を考慮しつつ適正なる止水を実施できる。つまり、面材支持部で止水が途切れることを回避しつつ、面材支持部の上下の止水作業をまとめて実施できる。
【００１５】
第４の発明では、第３の発明において、前記面材支持部は、前記壁幅方向において前記縦下地材から離間した位置に配置されており、前記役物横部は、前記縦下地材から前記面材支持部までの離間距離よりも大きい長さ寸法を有しており、前記役物横部の前記接続部分においては、前記面材側入り込み部と前記サッシ側入り込み部との間の長さ寸法が、前記役物縦部から前記面材支持部に近付くにつれて徐々に大きくされている。
【００１６】
第４の発明では、面材支持部は、壁幅方向において縦下地材から離間した位置に配置されており、換言すれば、縦下地材と面材支持部との間には、壁幅方向に互いが離間される離間部分が設けられている。また、役物横部は、縦下地材から面材支持部までの離間距離よりも大きい長さ寸法を有しており、かつ、面材側入り込み部とサッシ側入り込み部との間の長さ寸法が、役物縦部から面材支持部に近付くにつれて徐々に大きくされている。この場合、役物横部は、横下地材への取り付け前の状態で略三角形をなしており、横下地材の面材支持部が縦下地材に対して壁厚み方向に張り出っている構成であっても、横下地材の面材支持部から縦下地材に向けて斜めに連続するようにして、止水役物を取り付けることができる。
【００１７】
第５の発明では、第１乃至第４のいずれかの発明において、前記壁下地は、前記外壁面材と前記サッシ枠とが取り付けられるものであり、前記横下地材は、前記縦並び面材の背面に沿って延び、該縦並び面材が取り付けられた面材用横部材（面材用横部材２６ａ，２７ａ）と、前記サッシ枠の背面に沿って延び、該サッシ枠が取り付けられたサッシ用横部材（サッシ用横部材２６ｂ，２７ｂ）と、を有しており、前記面材用横部材及び前記サッシ用横部材は、いずれも前記縦下地材から前記幅方向に延びており、前記役物横部は、前記壁高さ方向において前記面材用横部材と前記サッシ用横部材とに掛け渡された状態で設けられている。
【００１８】
第５の発明によれば、サッシ枠及び縦並び面材がサッシ用横部材及び面材用横部材という別々の部材に取り付けられているため、これらサッシ枠及び縦並び面材が共通の部材に固定された構成とは異なり、サッシ枠及び縦並び面材のそれぞれの仕様に合わせてサッシ用横部材及び面材用横部材を施工することができる。このため、例えば急な設計変更などによりサッシ枠の仕様が変更された場合に、サッシ用横部材の仕様だけを変更すれば済み、サッシ用横部材の仕様変更についても縦並び面材からの荷重などを考慮する必要がない。
【００１９】
このような構成を有する外壁部においても、止水役物がサッシ用横部材と面材用横部材とに掛け渡されているため、サッシ用横部材と面材用横部材との境界部について止水性能が低下するということを好適に防止できる。
【００２０】
第６の発明では、第５の発明において、前記面材用横部材及び前記サッシ用横部材のうち一方の屋外側面が、他方の屋外側面よりも屋外側に配置されている。
【００２１】
第６の発明によれば、壁厚み方向において外壁面材に対してサッシ枠を屋外側に突出した位置に配置することや、サッシ枠を屋内側に入り込んだ位置に配置することが容易になる。これは、外壁面材に対するサッシ枠の相対的な位置に関する自由度を高めることで、外壁部の意匠性の向上を図るという観点において好都合である。しかも、止水役物が面材用横部材とサッシ用横部材とに掛け渡されているため、外壁面材に対するサッシ枠の位置に関係なく、面材用横部材とサッシ用横部材との境界部について止水性能が低下するということを防止できる。
【００２２】
第７の発明では、第５又は第６の発明において、前記サッシ用横部材は、前記壁幅方向において前記縦下地材に横並びに配置されており、前記面材用横部材は、前記縦下地材より屋外側に配置され、該縦下地材と前記縦並び面材との間に挟み込まれた状態になっており、前記壁高さ方向において前記面材用横部材を挟んで前記サッシ枠とは反対側においては、前記縦下地材と前記縦並び面材との間にスペーサ部材（横並びスペーサ部材４５、縦並びスペーサ部材４６）が挟み込まれた状態で設けられており、前記止水役物が前記縦並び面材と前記スペーサ部材との間に挟み込まれている。
【００２３】
第７の発明によれば、縦並び面材と縦下地材との間にサッシ用横部材が挟み込まれた状態になっていても、その他の部分について縦並び面材と縦下地材との間にスペーサ部材が挟みこまれているため、縦並び面材が壁厚み方向に傾くことを回避できる。しかも、下地役物が縦並び面材とスペーサ部材との間に挟み込まれているため、下地役物が縦下地材とスペーサ部材との間に挟み込まれた構成とは異なり、スペーサ部材の厚み寸法に関係なく下地役物の大きさや形状を設定することができる。これにより、下地役物の汎用性が高い構成を実現することができる。
【００２４】
第８の発明では、第７の発明において、前記スペーサ部材は、前記縦下地材と前記横並び面材との間にも挟み込まれた状態で設けられており、前記止水役物が前記横並び面材と前記スペーサ部材との間に挟み込まれている。
【００２５】
第８の発明によれば、縦並び面材及び横並び面材の両方と縦下地材との間にスペーサ部材が挟み込まれているため、横並び面材と縦並び面材との間に段差が生じることを回避できる。しかも、下地役物が横並び面材とスペーサ部材との間に挟み込まれているため、下地役物がスペーサ部材を挟んで横並び面材とは反対側（縦下地材側）に配置された構成とは異なり、横並び面材に対して設けられるスペーサ部材の厚み寸法に関係なく下地役物の大きさや形状を設定することができる。
【００２６】
第９の発明では、第１乃至第８のいずれかの発明において、前記止水役物は、前記止水役物の外郭を形成する止水シート（止水シート６５）と、前記止水シートに重ねられた状態で前記壁高さ方向又は前記壁幅方向に沿って延びており、前記止水シートとの重なり方向に圧縮されることで止水性能を発揮する止水テープ（止水テープ６６）と、を有しており、前記止水役物においては、前記止水シートと前記止水テープとが重ねられた部分が、前記横並び面材、前記縦並び面材及び前記サッシ枠の背面側に入り込んでおり、前記止水テープは、前記役物縦部において、前記横並び面材と前記縦並び面材との境界部を挟んで配置され、前記壁高さ方向に沿って延びている一対の縦テープ部（サッシ側縦テープ部７５ａ、面材側縦テープ部７５ｂ）と、前記役物横部において、前記縦並び面材と前記サッシ枠との境界部を挟んで配置され、前記壁幅方向に沿って延びている一対の横テープ部（横テープ部７６）と、を有しており、前記一対の横テープ部は、前記一対の縦テープ部のうち前記サッシ枠側に配置されたサッシ側縦テープ部（サッシ側縦テープ部７５ａ）の中間部分にそれぞれ接続されており、これら横テープ部の間の部分は前記サッシ側縦テープ部が設置されていない非設置部分とされている。
【００２７】
第９の発明によれば、止水役物においては止水シートの全ての面に止水テープが貼り付けられているわけではなく、外壁面材同士の間の隙間や、外壁面材とサッシ枠との間の隙間に合わせて、止水テープが設けられていない部分が形成されているため、それら隙間において止水役物の柔軟性を確保できる。これにより、外壁面材とサッシ枠と位置関係などに合わせて止水役物の形状を適正に整えることができる。
【００２８】
なお、外壁面材に対するサッシ枠の位置が、屋外側に突出した位置や屋内側に入り込んだ位置とされている構成では、外壁面材とサッシ枠との境界部について止水性能が低下することが懸念される。この課題を解決できる構成として、以下の発明を挙げることができる。
【００２９】
横並びに配置された複数の外壁面材（外壁面材１５）と、前記外壁面材の背面側に設けられ該外壁面材が取り付けられた外壁下地（外壁下地１６）と、前記外壁面材の背面に沿って延びている背面止水層（背面止水層５２）とを含んで外壁部（外壁部１１）が構成され、該外壁部に形成された壁開口部（窓部１２）にサッシ枠（サッシ枠２１）が設けられ、該サッシ枠が前記外壁下地に取り付けられている建物（建物１０）の壁構造であって、
前記外壁下地は、
前記外壁面材の背面に沿って延び、該外壁面材が取り付けられた面材用下地材（面材用横部材２６ａ）と、
前記サッシ枠の背面及び前記面材用下地材に沿って延び、該サッシ枠が取り付けられたサッシ用下地材（サッシ用横部材２６ｂ）と、
を有しており、
前記サッシ用下地材においては、当該サッシ用下地材における前記サッシ枠の取り付け面が、前記面材用下地材における前記外壁面材の取り付け面よりも屋内側に配置されており、
前記背面止水層は、前記外壁面材と前記サッシ枠との境界部分に対して設けられた境界役物（第１止水部材６１、止水役物６３）を有しており、
前記境界役物は、
前記外壁面材と前記面材用下地材との間に挟み込まれている面材側入り込み部（入り込み部６１ａ，７２ａ）と、
前記サッシ枠と前記サッシ用下地材との間に挟み込まれているサッシ側入り込み部（入り込み部６１ｂ、７２ｂ）と、
前記面材用下地材と前記サッシ用下地材との境界部を跨いだ状態で、前記面材側入り込み部と前記サッシ側入り込み部とを接続している接続部（接続部６１ｃ、接続部７２ｃ）と、
を有していることを特徴とする記載の建物の壁構造。
【００３０】
この構成によれば、外壁面材に対してサッシ枠を屋内側に入り込んだ位置に配置することが容易になる。この場合、外壁面材に対するサッシ枠の設置位置に関する自由度が高められるため、外壁部の意匠性向上を図ることができる。しかも、サッシ枠の背面側と外壁面材の背面側とに掛け渡された状態で境界役物が設けられているため、壁厚み方向におけるサッシ枠の位置に関係なく、サッシ枠と外壁面材との境界部についての止水性能が低下するということを抑制できる。
【００３１】
なお、この発明には、止水役物を境界役物に置き換えることで、上記第２乃至第９の発明のいずれかを適用することができる。
【図面の簡単な説明】
【００３２】
【図１】外壁部を示す図
【図２】図１（ａ）のＡ−Ａ線断面図
【図３】図１（ａ）のＢ−Ｂ線断面図
【図４】図１（ａ）のＣ−Ｃ線断面図
【図５】図１（ａ）のＤ−Ｄ線断面図
【図６】背面止水層の形成手順を説明するための図
【図７】背面止水層の形成手順を説明するための図
【発明を実施するための形態】
【００３３】
以下、本発明を具体化した一実施形態について図面を参照しつつ説明する。本実施形態では、本発明の外壁構造を窓部が設けられた外壁部において具体化している。図１は外壁部１１を示す図であり、（ａ）に外壁部１１の概略正面図を示し、（ｂ）に外壁下地１６の斜視図を示す。図２は図１（ａ）のＡ−Ａ線断面図、図３は図１（ａ）のＢ−Ｂ線断面図、図４は図１（ａ）のＣ−Ｃ線断面図、図５は図１（ａ）のＤ−Ｄ線断面図である。なお、図１（ｂ）においては、サッシ枠２１の図示を省略している。
【００３４】
図１〜図３に示すように、建物の外壁部１１には、壁開口部としての窓部１２が設けられている。外壁部１１は、建物の外周部に沿って配置された複数の外壁面材１５と、外壁面材１５を支持する外壁下地１６とを有している。これら外壁面材１５は、外壁部１１の壁幅方向に沿って並べられており、隣り合う外壁面材１５の境界線Ｌａは壁高さ方向に沿って延びている。この場合、隣り合う外壁面材１５の間の隙間が目地部分になっている。外壁面材１５は、軽量コンクリート等の外装材により板材に形成されている。
【００３５】
外壁面材１５は、上下方向に延びた中空部１７ａを有している。中空部１７ａは、外壁面材１５の上方及び下方に向けて開放されており、外壁面材１５の幅方向に沿って所定間隔で複数配置されている。外壁面材１５においては、中空部１７ａよりも屋外側の部分が外側壁肉部１７ｂとされ、中空部１７ａよりも屋内側の部分が内側壁肉部１７ｃとされている。中空部１７ａは、外側壁肉部１７ｂと内側壁肉部１７ｃとを繋ぐ中間繋ぎ部で仕切られている。
【００３６】
外壁部１１は、外壁面材１５の屋内側に設けられた壁断熱部１８を有している。壁断熱部１８は、発泡系断熱材により板状に形成されており、外壁面材１５の背面側に沿って延びている。壁断熱部１８は、外壁面材１５から屋内側に離間した位置において、壁幅方向及び壁高さ方向においてサッシ枠２１に並べて配置されている。
【００３７】
図１（ａ）に示すように、窓部１２には、矩形枠状のサッシ枠２１が設けられている。サッシ枠２１は、壁高さ方向に沿って上下に延びる一対の縦枠部２１ａと、これら縦枠部２１ａの上端同士を連結する上枠部２１ｂと、縦枠部２１ａの下端同士を連結する下枠部２１ｃとを有している。なお、上枠部２１ｂ及び下枠部２１ｃは、壁幅方向に沿って左右に延びている横枠部に相当する。
【００３８】
サッシ枠２１は、壁幅方向において外壁面材１５に横並びに配置されており、サッシ枠２１と外壁面材１５との境界線は、外壁面材１５同士の境界線Ｌａに一致している。サッシ枠２１は、壁高さ方向において外壁面材１５の中間位置に配置されており、壁高さ方向において外壁面材１５に上下に並べられている。
【００３９】
複数の外壁面材１５には、サッシ枠２１に横並びに配置された横並び面材１５Ａと、サッシ枠２１の上側に配置された上側面材１５Ｂと、サッシ枠２１の下側に配置された下側面材１５Ｃとが含まれている。上側面材１５Ｂ及び下側面材１５Ｃは、横並び面材１５Ａと横並びに配置されている。サッシ枠２１と上側面材１５Ｂとの境界線Ｌｂ、及びサッシ枠２１と下側面材１５Ｃとの境界線Ｌｃは、いずれも壁幅方向に沿って延びている。この場合、サッシ枠２１と上側面材１５Ｂ及び下側面材１５Ｃとの間の隙間を目地部分と称することもできる。なお、上側面材１５Ｂ及び下側面材１５Ｃは、いずれもサッシ枠２１に縦並びに配置された縦並び面材に相当する。
【００４０】
図１（ｂ）に示すように、外壁下地１６は、壁高さ方向に沿って延びている複数の縦フレーム材を有している。これら縦フレーム材は、隣り合う外壁面材１５の境界部に対してそれぞれ配置されている。複数の縦フレーム材には、サッシ枠２１と横並び面材１５Ａとの境界部に対して設けられたサッシ沿い縦材２２が含まれている。なお、各フレーム材は、居住空間の上下に配置された上梁や下梁などの建物躯体に対して固定されている。
【００４１】
サッシ沿い縦材２２は、サッシ枠２１と横並び面材１５Ａとの境界線Ｌａに沿って延びており、この境界線Ｌａに壁厚み方向に重なる位置に配置されている。サッシ沿い縦材２２は、Ｌ字状の山形鋼（アングル）により形成されており、面材１５Ａ〜１５Ｃ及びサッシ枠２１の背面側（屋内側）に配置されている。サッシ沿い縦材２２は、互いに交差する一対の板部２３，２４を有しており、一方の板部２３が壁幅方向に沿って延びた手前側板部２３とされ、他方の板部２４が手前側板部２３から奥側（屋内側）に向けて延びた奥行き板部２４とされている。手前側板部２３は、サッシ枠２１と横並び面材１５Ａとの境界線Ｌａを壁幅方向に跨いだ状態になっており、面材１５Ａ〜１５Ｃ及びサッシ枠２１の背面に対向している。奥行き板部２４は、手前側板部２３のサッシ枠２１側に配置されており、サッシ枠２１の外周面（縦枠部２１ａの外側面）に対向している。
【００４２】
外壁下地１６は、隣り合うサッシ沿い縦材２２を連結するサッシ沿い横材として、サッシ枠２１の上側に配置された上側横材２６と、サッシ枠２１の下側に配置された下側横材２７とを有している。上側横材２６及び下側横材２７は上下一対で設けられており、それぞれ上側面材１５Ｂ、下側面材１５Ｃ及びサッシ枠２１の背面側において壁幅方向に延びている。なお、サッシ沿い縦材２２が縦下地材に相当し、上側横材２６及び下側横材２７が横下地材に相当する。
【００４３】
上側横材２６及び下側横材２７は、面材１５Ｂ，１５Ｃが固定された面材用横部材２６ａ，２７ａと、サッシ枠２１が固定されたサッシ用横部材２６ｂ，２７ｂとを有している。面材用横部材２６ａ，２７ａ及びサッシ用横部材２６ｂ，２７ｂは、いずれも鋼材により長尺状に形成されており、一対のサッシ沿い縦材２２に掛け渡されている。サッシ用横部材２６ｂ，２７ｂは、一対のサッシ沿い縦材２２の間に配置されており、その端面がサッシ沿い縦材２２の奥行き板部２４に重ねられた状態で、その奥行き板部２４に溶接等により固定されている。面材用横部材２６ａ，２７ａは、サッシ沿い縦材２２の屋外側に配置されており、サッシ沿い縦材２２の手前側板部２３に壁厚み方向に重ねられた状態で、その手前側板部２３に溶接等により固定されている。
【００４４】
図１（ｂ）、図４、図５に示すように、サッシ用横部材２６ｂ，２７ｂは、Ｌ字状の山形鋼により形成されており、互いに交差する一対の板部３１，３２をそれぞれ有している。一方の板部３１は、サッシ枠２１の上下に配置された壁断熱部１８の端面に沿って壁幅方向に延びている端面側板部３１とされ、他方の板部３２は、壁断熱部１８の屋外側面に引っ掛けられた引っ掛け板部３２とされている。引っ掛け板部３２の屋外側面は、サッシ沿い縦材２２の手前側板部２３の屋外側面と面一になっており、サッシ枠２１の背面は、壁幅方向においてサッシ沿い縦材２２と横材２６，２７とに掛け渡された状態で、手前側板部２３及び引っ掛け板部３２の各屋外側面に重ねられている。なお、引っ掛け板部３２の屋外側面は、手前側板部２３の屋外側面より屋外側に入り込んだ位置に配置されていてもよい。
【００４５】
面材用横部材２６ａ，２７ａは、サッシ沿い縦材２２の手前側板部２３に屋外側から重ねられた重ね板部３５を有している。重ね板部３５は、平板状に形成され、その板面を壁厚み方向に向けた状態で一対のサッシ沿い縦材２２に掛け渡されており、重ね板部３５の端部がサッシ沿い縦材２２の手前側板部２３に重ねられている。また、重ね板部３５の屋外側面には、上側面材１５Ｂ及び下側面材１５Ｃの背面が重ねられている。この場合、上側横材２６の重ね板部３５の端部は、サッシ沿い縦材２２と上側面材１５Ｂとの間に挟まった状態になっており、下側横材２７の重ね板部３５の端部は、サッシ沿い縦材２２と下側面材１５Ｃとの間に挟まった状態になっている。
【００４６】
サッシ用横部材２６ｂ、２７ｂの引っ掛け板部３２は、面材用横部材２６ａ，２７ａの重ね板部３５の背面側に配置されている。上側横材２６及び下側横材２７のいずれにおいても、引っ掛け板部３２は、その一部が重ね板部３５に重なり、且つ壁高さ方向において重ね板部３５よりもサッシ枠２１側に突出した位置に配置されている。この場合、上側横材２６及び下側横材２７の各屋外側面においては、引っ掛け板部３２と重ね板部３５とにより段差が形成されている。例えば、上側横材２６においては、引っ掛け板部３２の上端部が重ね板部３５の背面側に配置されている一方で、引っ掛け板部３２の下端部が重ね板部３５よりも下方位置に配置されている。また、下側横材２７においては、引っ掛け板部３２の下端部が重ね板部３５の背面側に配置されている一方で、引っ掛け板部３２の上端部が重ね板部３５よりも上方位置に配置されている。
【００４７】
面材用横部材２６ａ，２７ａのうち、上側横材２６の面材用横部材２６ａは、上側面材１５Ｂを下方から支持する面材支持部３６を有している。面材支持部３６は、上側横材２６の重ね板部３５の下端から屋外側に突出しており、板面を上下に向けた板部とされている。面材支持部３６には、上側横材２６が載せられており、面材支持部３６の上面が上側横材２６の下端面に対向している。面材支持部３６は、重ね板部３５に対して溶接等により固定されている。
【００４８】
上側横材２６の面材支持部３６は、壁幅方向において重ね板部３５の中間位置に配置されている。面材支持部３６の長さ寸法が重ね板部３５の長さ寸法より小さくされており、面材支持部３６は、サッシ沿い縦材２２に壁厚み方向に重なっていない。ここで、壁幅方向において、面材支持部３６はサッシ沿い縦材２２から離間しており、上側面材１５Ｂの中間位置が面材支持部３６により支持された状態になっている。
【００４９】
上側面材１５Ｂ及び下側面材１５Ｃには、これら面材１５Ｂ，１５Ｃの背面との間に面材用横部材２６ａ，２７ａの重ね板部３５を挟み込む挟み部材４１が取り付けられている。挟み部材４１は、面材１５Ｂ，１５Ｃの背面側に配置され、ボルト４２により面材１５Ｂ，１５Ｃのそれぞれに固定されている。この場合、重ね板部３５は、面材１５Ｂ，１５Ｃと挟み部材４１との間に挟まれた状態で、面材１５Ｂ，１５Ｃを支持している。なお、上側横材２６の重ね板部３５は、上側面材１５Ｂと挟み部材４１との間に上方から入り込んでおり、下側横材２７の重ね板部３５は、下側面材１５Ｃと挟み部材４１との間に下方から入り込んでいる。
【００５０】
ここで、上側面材１５Ｂ及び下側面材１５Ｃとサッシ沿い縦材２２との間に重ね板部３５が挟み込まれている構成では、壁高さ方向において重ね板部３５を挟んでサッシ枠２１とは反対側の領域において、面材１５Ｂ，１５Ｃとサッシ沿い縦材２２との間に、重ね板部３５の厚み寸法の分だけ隙間が形成されてしまう。また、壁厚み方向において、横並び面材１５Ａの位置を上側面材１５Ｂ及び下側面材１５Ｃの位置と同じにすると、横並び面材１５Ａとサッシ沿い縦材２２との間にも同様の隙間が形成されてしまう。
【００５１】
そこで、図２、図３に示すように、横並び面材１５Ａ、上側面材１５Ｂ及び下側面材１５Ｃとサッシ沿い縦材２２との間には、スペーサ部材４５，４６が挟み込まれている。これにより、これら面材１５Ａ〜１５Ｃをサッシ沿い縦材２２に対して適正な状態で固定できる。また、スペーサ部材４５，４６が設けられていない構成とは異なり、重ね板部３５が挟まっている分だけ上側面材１５Ｂ及び下側面材１５Ｃが壁厚み方向に傾くということや、横並び面材１５Ａと上側面材１５Ｂ及び下側面材１５Ｃとの間に段差が生じるということを回避できる。
【００５２】
スペーサ部材４５，４６は、ゴム等の弾性部材により形成されているが、サッシ沿い縦材２２と面材１５Ａ〜１５Ｃとの間に挟み込まれて圧縮された状態でも、重ね板部３５の厚み寸法と同じ厚み寸法を確保できる部材とされている。スペーサ部材４５，４６は、サッシ沿い縦材２２に沿って壁高さ方向に延びている長尺部材であり、圧縮された状態及び圧縮されていない状態のいずれにおいても高い止水性能を有している。
【００５３】
スペーサ部材４５，４６は、横並び面材１５Ａ、上側面材１５Ｂ及び下側面材１５Ｃの側端部に沿って上下方向に延びている。これらスペーサ部材４５，４６は、壁幅方向に所定間隔で並べられており、上下に延びる境界線Ｌａを挟んで左右一対の２列で配置されている。スペーサ部材４５，４６のうち、横並び面材１５Ａの背面側に配置された横並びスペーサ部材４５は、サッシ枠２１に壁幅方向に重なる位置にも配置されている一方で、縦並び面材としての上側面材１５Ｂ及び下側面材１５Ｃの背面側に配置された縦並びスペーサ部材４６は、サッシ枠２１に壁幅方向に重なる位置には配置されていない。
【００５４】
サッシ沿い縦材２２に対してサッシ枠２１が取り付けられている領域においては、横並びスペーサ部材４５が１列で配置されている。これは、サッシ枠２１は、上側面材１５Ｂ及び下側面材１５Ｃとは異なり、サッシ沿い縦材２２との間に重ね板部３５を挟み込んでおらず、サッシ沿い縦材２２との間の隙間が小さいためである。この場合、横並びスペーサ部材４５が、壁幅方向においてサッシ枠２１に所定間隔で横並びに配置されていることになる。
【００５５】
外壁部１１においては、外壁面材１５やサッシ枠２１の周縁部に沿って止水処理が施されており、この止水処理により、外壁面材１５同士の間の隙間や外壁面材１５とサッシ枠２１との間の隙間に設けられた隙間止水層５１と、外壁面材１５やサッシ枠２１の背面側に設けられた背面止水層５２とが形成されている。外壁部１１においては、背面止水層５２が隙間止水層５１よりも奥側に配置されており、この位置関係からして、隙間止水層５１を一次防水と称し、背面止水層５２を二次防水と称することができる。
【００５６】
図２〜図５に示すように、隙間止水層５１は、壁高さ方向に沿って延びている境界線Ｌａに沿って延びている部分においては、不定形のシーリング材５５と、定形の止水部材であるガスケット５６とを有している。ガスケット５６は、シーリング材５５の背面側に配置されており、外壁面材１５同士の間の隙間においては、シーリング材５５及びガスケット５６が、いずれもこれら外壁面材１５の間に配置されている。これに対して、横並び面材１５Ａとサッシ枠２１との間の隙間においては、シーリング材５５が、これら横並び面材１５Ａとサッシ枠２１との間に配置されている一方で、ガスケット５６は、横並び面材１５Ａよりも屋内側の位置において、横並びスペーサ部材４５とサッシ枠２１との間の隙間に配置されている。
【００５７】
隙間止水層５１は、壁幅方向に沿って延びている境界線Ｌｂ，Ｌｃに沿って延びている部分においては、シーリング材５５を有している一方で、ガスケット５６を有していない。
【００５８】
背面止水層５２は、サッシ沿い縦材２２、上側横材２６及び下側横材２７のそれぞれの長手方向に沿って延びており、それらサッシ沿い縦材２２、上側横材２６及び下側横材２７と、横並び面材１５Ａ、上側面材１５Ｂ、下側面材１５Ｃ及びサッシ枠２１の各背面との間に挟まった状態で設けられている。背面止水層５２において、サッシ沿い縦材２２に沿って延びている部分は、壁高さ方向を長辺とする縦長形状とされており、上下に延びる境界線Ｌａを壁幅方向に跨いだ状態で設けられている。一方、上側横材２６及び下側横材２７に沿って延びている部分は、壁幅方向を長辺とする横長形状とされており、左右に延びる境界線Ｌｂ，Ｌｃを壁高さ方向に跨いだ状態で設けられている。
【００５９】
例えば、上下方向に延びる境界部について説明すると、図２に示すように、横並び面材１５Ａと上側面材１５Ｂとの境界部分においては、背面止水層５２が、境界線Ｌａを跨いで横並びスペーサ部材４５と縦並びスペーサ部材４６とに掛け渡された状態で、面材１５Ａ，１５Ｂの背面側に入り込んでいる。この場合、背面止水層５２においては、両側端部のうち一方の端部が、横並び面材１５Ａと横並びスペーサ部材４５との間に挟まった状態になっており、他方の端部が、上側面材１５Ｂと縦並びスペーサ部材４６との間に挟まった状態になっている。
【００６０】
図３に示すように、横並び面材１５Ａとサッシ枠２１との境界部分においては、背面止水層５２が境界線Ｌａを跨いだ状態で、横並びスペーサ部材４５とサッシ枠２１の背面とに掛け渡された状態になっている。この場合、背面止水層５２においては、両側端部のうち一方の端部が、横並び面材１５Ａと横並びスペーサ部材４５との間に挟まった状態になっている一方で、他方の端部が、サッシ沿い縦材２２の手前側板部２３とサッシ枠２１の縦枠部２１ａとの間に挟まった状態になっている。
【００６１】
次に、左右方向に延びる境界部について説明すると、図４に示すように、上側面材１５Ｂとサッシ枠２１との境界部においては、背面止水層５２が上側横材２６の屋外側面に重ねられた状態で、上側面材１５Ｂ及びサッシ枠２１のそれぞれの背面側に入り込んでいる。背面止水層５２は、上側横材２６において、面材用横部材２６ａの重ね板部３５とサッシ用横部材２６ｂの引っ掛け板部３２とに掛け渡されている。この場合、背面止水層５２は、面材用横部材２６ａの面材支持部３６を屋外側から覆った状態で、その上端部が重ね板部３５と上側面材１５Ｂとの間に挟まった状態になっており、その下端部が引っ掛け板部３２とサッシ枠２１との間に挟まった状態になっている。
【００６２】
図５に示すように、サッシ枠２１と下側面材１５Ｃとの境界部においては、背面止水層５２が下側横材２７の屋外側面に重ねられた状態で、下側面材１５Ｃ及びサッシ枠２１のそれぞれの背面側に入り込んでいる。背面止水層５２は、上側横材２６に対する設置構成と同様に、下側横材２７において、面材用横部材２７ａの重ね板部３５とサッシ用横部材２７ｂの引っ掛け板部３２とに掛け渡されている。この場合、背面止水層５２においては、下端が重ね板部３５と下側面材１５Ｃとの間に挟まった状態になっており、上端が引っ掛け板部３２とサッシ枠２１との間に挟まった状態になっている。
【００６３】
背面止水層５２は、１つの部材により形成されているのではなく、複数の部材が組み合わされることで形成されている。ここでは、背面止水層５２の構成について、外壁部１１の構築手順を交えながら、図６、図７を参照しつつ説明する。図６、図７は、背面止水層５２の形成手順を説明するための図である。
【００６４】
図６、図７に示すように、背面止水層５２は、サッシ沿い縦材２２や上側横材２６、下側横材２７に沿って直線状に延びた状態で設けられる止水部材６１，６２と、サッシ沿い縦材２２と横材２６，２７との接続部分に対して設けられる止水役物６３とを含んで構成されている。これら止水部材６１，６２及び止水役物６３は、防水シート等の止水シート６５と、ブチルテープ等の止水テープ６６とを有している。止水シート６５は、止水部材６１，６２及び止水役物６３の外郭をそれぞれ形成している。止水テープ６６は、厚み方向に圧縮されることで止水性能や防水性能を発揮するものであり、止水シート６５のシート面に接着剤等により貼り付けられている。
【００６５】
止水部材６１，６２及び止水役物６３は、外壁面材１５やサッシ枠２１の背面側に入り込んでいる複数の入り込み部と、それら入り込み部を接続する接続部とを有している。入り込み部は、止水シート６５に止水テープ６６が貼り付けられた部分により形成されており、接続部は、止水シート６５に止水テープ６６が貼り付けられていない部分により形成されている。止水シート６５において、止水テープ６６が貼り付けられていない方の面が、サッシ沿い縦材２２や上側横材２６、下側横材２７に貼り付けられる貼り付け面とされており、入り込み部（止水テープ６６）に重なる部分が接着剤等が塗布された接着部分とされている。止水部材６１，６２は短辺の長さ寸法（幅寸法）が異なっており、幅寸法の大きい方を第１止水部材６１とし、小さい方を第２止水部材６２とする。
【００６６】
なお、第１止水部材６１及び止水役物６３が、外壁面材１５とサッシ枠２１との境界部に対して設けられた境界役物に相当する。
【００６７】
図６（ａ）に示すように、まず、構築した外壁下地１６に対してスペーサ部材４５，４６を取り付ける。サッシ枠２１よりも高い位置においては、スペーサ部材４５，４６の上端同士を同じ高さ位置に配置し、縦並びスペーサ部材４６の下端を上側横材２６の重ね板部３５の上端と同じ高さ位置に配置する。サッシ枠２１よりも低い位置においては、スペーサ部材４５，４６の下端同士を同じ高さ位置に配置し、縦並びスペーサ部材４６の上端を下側横材２７の重ね板部３５の下端と同じ高さ位置に配置する。横並びスペーサ部材４５は、壁幅方向において、その側面がサッシ沿い縦材２２の手前側板部２３の側端面と面一になる位置に配置する。スペーサ部材４５，４６は、サッシ沿い縦材２２の手前側板部２３の屋外側面に接着剤等により貼り付ける。
【００６８】
次に、図６（ｂ），（ｃ）に示すように、長方形状の第１止水部材６１を上側横材２６に取り付ける。第１止水部材６１においては、止水シート６５が長方形状に形成されていることで第１止水部材６１の外郭を形成しており、止水テープ６６は、止水シート６５の一対の長辺のそれぞれに沿って貼り付けられている。一対の止水テープ６６は互いに離間しており、これら止水テープ６６は、止水シート６５の長手方向に沿って２列で延びている。第１止水部材６１においては、止水テープ６６が貼り付けられた部分が入り込み部６１ａ，６１ｂとされており、止水テープ６６が貼り付けられていない部分が接続部６１ｃとされている。
【００６９】
第１止水部材６１を上側横材２６に取り付けた場合、上側の入り込み部６１ａが重ね板部３５の屋外側面に貼り付けられ、下側の入り込み部６１ｂが引っ掛け板部３２の屋外側面に貼り付けられている。この場合、第１止水部材６１は、面材支持部３６を上下に跨いで重ね板部３５と引っ掛け板部３２とに掛け渡された状態とされ、接続部６１ｃが上側横材２６の面材支持部３６を屋外側から覆っている。壁幅方向において、第１止水部材６１の長さ寸法は、面材支持部３６の長さ寸法と同じにされており、第１止水部材６１は面材支持部３６よりも側方にははみ出していない。
【００７０】
そして、上側面材１５Ｂ及びサッシ枠２１が外壁下地１６に取り付けられた場合には、第１止水部材６１において、上側の入り込み部６１ａが上側面材１５Ｂと重ね板部３５との間に挟まれた状態になり、下側の入り込み部６１ｂがサッシ枠２１と引っ掛け板部３２との間に挟まれた状態になる。
【００７１】
なお、上側横材２６に取り付けられた第１止水部材６１が横止水部材に相当し、この第１止水部材６１においては、上側の入り込み部６１ａが面材側入り込み部に相当し、下側の入り込み部６１ｂがサッシ側入り込み部に相当する。
【００７２】
また、図７（ａ），（ｂ）に示すように、Ｔ字状の止水役物６３をサッシ沿い縦材２２と上側横材２６との接続部分に対して、それらサッシ沿い縦材２２と上側横材２６とに掛け渡した状態で取り付ける。止水役物６３は、サッシ沿い縦材２２に沿って上下に延びている役物縦部７１と、その役物縦部７１の中間部分から上側横材２６に沿って左右に延びている役物横部７２とを有している。
【００７３】
止水役物６３においては、止水シート６５がＴ字状に形成されていることで止水役物６３の外郭を形成しており、止水テープ６６は、役物縦部７１の一対の長辺のそれぞれに沿って縦長に貼り付けられた縦テープ部７５ａ，７５ｂと、役物横部７２の一対の長辺のそれぞれに沿って横長に貼り付けられた横テープ部７６とを有している。一対の縦テープ部７５ａ，７５ｂは、壁幅方向において互いに離間しており、これら縦テープ部７５ａ，７５ｂは、壁高さ方向に沿って２列で延びている。一対の横テープ部７６は、壁高さ方向において互いに離間しており、これら横テープ部７６は、壁幅方向に沿って２列で延びている。
【００７４】
一対の横テープ部７６は、一対の縦テープ部７５ａ，７５ｂのうちサッシ枠２１側に配置されたサッシ側縦テープ部７５ａにそれぞれ接続されており、このサッシ側縦テープ部７５ａよりも横並び面材１５Ａ側には突出しておらず、横並び面材１５Ａ側に配置された面材側縦テープ部７５ｂからは離間している。また、一対の横テープ部７６の間の部分には、サッシ側縦テープ部７５ａが設置されておらず、サッシ側縦テープ部７５ａは、上側の横テープ部７６から上方に向けて延びているとともに、下側の横テープ部７６から下方に向けて延びている。
【００７５】
役物横部７２においては、その長さ寸法（役物縦部７１からの延出寸法）が、壁幅方向において役物縦部７１と面材支持部３６との離間距離（サッシ沿い縦材２２と面材支持部３６との離間距離）よりも大きくされている。役物横部７２の幅寸法（役物縦部７１が延びている方向の寸法）は、役物縦部７１から遠ざかるにつれて徐々に大きくなっている。この場合、役物横部７２の一対の長辺はそれぞれ直線状に延びており、役物横部７２はテーパ状に形成されている。役物横部７２においては、各横テープ部７６が役物横部７２の各長辺に沿って延びており、これら横テープ部７６の離間距離が、役物縦部７１から遠ざかるにつれて徐々に大きくなっている。つまり、接続部７１ｃの長さ寸法が徐々に大きくなっている。
【００７６】
止水役物６３の役物縦部７１においては、縦テープ部７５ａ，７５ｂが貼り付けられた部分が入り込み部７１ａ，７１ｂとされており、縦テープ部７５ａ，７５ｂが貼り付けられていない部分が接続部７１ｃとされている。同様に、役物横部７２においては、横テープ部７６が貼り付けられた部分が入り込み部７２ａ，７２ｂとされており、横テープ部７６が貼り付けられていない部分が接続部７２ｃとされている。
【００７７】
止水役物６３を上側横材２６及びサッシ沿い縦材２２に取り付けた場合、役物横部７２においては、上側の入り込み部７２ａが重ね板部３５の屋外側に貼り付けられ、下側の入り込み部７２ｂが引っ掛け板部３２の屋外側面に貼り付けられている。役物横部７２は、既に貼り付けられている第１止水部材６１の端部にも重ねて貼り付けられている。この場合、上側の入り込み部６１ａ，７２ａが同士が重ねられ、下側の入り込み部６１ｂ，７２ｂ同士が重ねられている。
【００７８】
上述したように、役物横部７２の幅寸法は、サッシ沿い縦材２２から面材支持部３６に近付くにつれて徐々に大きくなっているため、役物横部７２の先端部分では接続部７２ｃにより面材支持部３６を屋外側から覆うことができる一方で、面材支持部３６よりサッシ沿い縦材２２側の領域であっても面材支持部３６が存在しない分だけ接続部７２ｃに余剰分が生じるということを抑制している。
【００７９】
役物縦部７１においては、横並び面材１５Ａ側（Ｔ字外側）の入り込み部７１ａが横並びスペーサ部材４５の屋外側面に貼り付けられている。サッシ枠２１側（Ｔ字内側）の入り込み部７１ｂについては、上側の入り込み部７１ｂが縦並びスペーサ部材４６の屋外側面に貼り付けられている一方で、下側の入り込み部７１ｂがサッシ沿い縦材２２の手前側板部２３の屋外側面に直接貼り付けられている。
【００８０】
そして、横並び面材１５Ａ、上側面材１５Ｂ及びサッシ枠２１が外壁下地１６に取り付けられた場合、止水役物６３の役物横部７２においては、第１止水部材６１と同様に、上側の入り込み部７２ａが上側面材１５Ｂと重ね板部３５との間に挟まれた状態になり、下側の入り込み部７２ｂがサッシ枠２１と引っ掛け板部３２との間に挟まれた状態になる。止水役物６３の役物縦部７１においては、Ｔ字外側の入り込み部７２ａが横並び面材１５Ａと横並びスペーサ部材４５との間に挟まれた状態になる。Ｔ字内側の入り込み部７２ｂについては、上側の入り込み部７２ｂが上側面材１５Ｂと縦並びスペーサ部材４６との間に挟まれた状態になり、下側の入り込み部７２ｂがサッシ枠２１とサッシ沿い縦材２２の手前側板部２３との間に挟まれた状態になる。
【００８１】
さらに、図７（ｃ），（ｄ）に示すように、長方形状の第２止水部材６２をサッシ沿い縦材２２に取り付ける。第２止水部材６２は、第１止水部材６１よりも幅寸法が小さいだけで、その第１止水部材６１と同じ構成を有している。この場合、一対の止水テープ６６の離間距離が、第２止水部材６２の方が第１止水部材６１よりも小さくなっている。また、第２止水部材６２は、入り込み部６２ａ，６２ｂ及び接続部６２ｃを有している。
【００８２】
止水役物６３の上方領域において、第２止水部材６２をサッシ沿い縦材２２に取り付けた場合、一方の入り込み部６２ａが横並びスペーサ部材４５の屋外側面に貼り付けられ、他方の入り込み部６２ｂが縦並びスペーサ部材４６の屋外側面に貼り付けられている。この場合、第２止水部材６２は、一対のスペーサ部材４５，４６に掛け渡された状態になっている。ここで、第２止水部材６２は、第１止水部材６１とは異なり、面材支持部３６を覆う必要がないため、接続部６２ｃの幅寸法が第１止水部材６１に比べて小さくされている。接続部６２ｃの幅寸法は、一対のスペーサ部材４５，４６の離間距離とほぼ同じにされている。
【００８３】
第２止水部材６２は、止水役物６３の役物縦部７１の上端にも重ねて貼り付けられている。この場合、横並び面材１５Ａ側の入り込み部６２ａ，７１ａ同士が重ねられ、上側面材１５Ｂ側の入り込み部６２ｂ，７１ｂ同士が重ねられている。
【００８４】
そして、横並び面材１５Ａ及び縦並び面材１５Ａが外壁下地１６に取り付けられた場合、第２止水部材６２の入り込み部６２ａにおいては、役物縦部７１の入り込み部７１ａと同様に、横並びスペーサ部材４５と横並び面材１５Ａとの間に挟まれた状態になる。また、第２止水部材６２の入り込み部６２ｂにおいては、役物縦部７１の入り込み部７１ｂと同様に、縦並びスペーサ部材４６と上側面材１５Ｂとの間に挟まれた状態になる。
【００８５】
サッシ沿い縦材２２の他の部分や下側横材２７などに対しても、第２止水部材６２や止水役物６３が取り付けられることで、背面止水層５２が形成される。例えば、下側横材２７やサッシ沿い縦材２２については、上述したように、上側横材２６とは異なり面材支持部３６を有していないため、第１止水部材６１ではなく第１止水部材６１を取り付ける。上側横材２６に対しては、第２止水部材６２の一方の入り込み部６２ａを上側とし、他方の入り込み部６２ｂを下側として、上側の入り込み部６２ａをサッシ用横部材２７ｂの引っ掛け板部３２の屋外側面に貼り付け、下側の入り込み部６２ｂを面材用横部材２７ａの重ね板部３５の屋外側面に貼り付ける。これにより、第２止水部材６２が引っ掛け板部３２と重ね板部３５とに掛け渡された状態になる。
【００８６】
また、下側横材２７とサッシ沿い縦材２２との接続部分に対して取り付けられる止水役物６３においては、役物横部７２がテーパ状に形成されておらず、役物横部７２の幅寸法が均一に設定されている。これも、下側横材２７が上側横材２６とは異なり面材支持部３６を有しておらず、役物横部７２の接続部７２ｃが面材支持部３６を屋外側から覆う必要がないためである。
【００８７】
以上詳述した本実施形態によれば、以下の優れた効果が得られる。
【００８８】
背面止水層５２が止水役物６３を有しているため、サッシ沿い縦材２２と上側横材２６及び下側横材２７との接続部分について、止水役物６３を取り付けるという容易な作業により止水処理を実施できる。したがって、建築現場においてサッシ沿い縦材２２と上側横材２６との接続部分に合わせて第１止水部材６１と第２止水部材６２とを接続するという作業負担を低減できる。
【００８９】
止水役物６３の役物縦部７１及び役物横部７２に第１止水部材６１及び第２止水部材６２を接続することが可能であるため、サッシ沿い縦材２２と上側横材２６及び下側横材２７との接続部分と、その他の部分とで止水役物６３と止水部材６１，６２とを使い分けることができる。したがって、背面止水層５２を形成する場合に、外壁下地１６の形態に対応させつつ施工性の向上を図ることができる。
【００９０】
［他の実施形態］
本発明は上記実施形態の記載内容に限定されず、例えば次のように実施されてもよい。
【００９１】
（１）上記実施形態では、サッシ沿い縦材２２と外壁面材１５との間にスペーサ部材４５，４６が挟み込まれていたが、スペーサ部材４５，４６は設けられていなくてもよい。この場合、第２止水部材６２や止水役物６３の止水テープ６６が、スペーサ部材４５，４６に代わってサッシ沿い縦材２２と外壁面材１５との間に挟み込まれる程度の厚み寸法を有していることが好ましい。また、上側横材２６及び下側横材２７の重ね板部３５がサッシ沿い縦材２２の屋外側に配置されているのではなく、サッシ沿い縦材２２と壁幅方向に沿って横並びに配置されていることが好ましい。この構成によれば、サッシ沿い縦材２２と外壁面材１５との間に重ね板部３５が挟み込まれないため、外壁面材１５の全体をサッシ沿い縦材２２の屋外側面に直接重ねることが可能となる。
【００９２】
（２）上記実施形態では、上側横材２６及び下側横材２７において、面材用横部材２６ａ，２７ａに外壁面材１５が取り付けられ、サッシ用横部材２６ｂ，２７ｂにサッシ枠２１が取り付けられていたが、面材用横部材２６ａ，２７ａ及びサッシ用横部材２６ｂ，２７ｂのうち一方に外壁面材１５及びサッシ枠２１の両方が取り付けられていてもよい。この場合でも、横材２６，２７において、外壁面材１５の取り付け部分とサッシ枠２１との取り付け部分とに掛け渡された状態で止水部材６１，６２や止水役物６３が設けられていることが好ましい。
【００９３】
（３）上記実施形態では、止水役物６３の役物横部７２がテーパ状に形成されていたが、役物横部７２は、その接続部７２ｃにより面材支持部３６を屋外側から覆うことができれば、テーパ状とされていなくてもよい。例えば、接続部７２ｃの幅寸法が面材支持部３６に近付くにつれて段階的に大きくされている構成や、役物横部７２の全体が第１止水部材６１の幅寸法と同じ幅寸法を有している構成とする。これらの構成でも、役物横部７２の接続部７２ｃにより面材支持部３６を屋外側から覆うことはできる。
【００９４】
（４）上記実施形態では、上側横材２６において、面材支持部３６がサッシ沿い縦材２２から壁幅方向に離間した位置に配置されていたが、面材支持部３６がサッシ沿い縦材２２に壁厚み方向に重なる位置に配置されていてもよい。この場合でも、止水役物６３の役物横部７２の幅寸法を大きくすることで、接続部７２ｃにより面材支持部３６を屋外側から覆うことは可能である。
【００９５】
（５）外壁面材１５について、縦並び面材としては、上側面材１５Ｂ及び下側面材１５Ｃのうち一方だけが設けられていてもよい。
【００９６】
（６）止水部材６１，６２や止水役物６３は、止水シート６５及び止水テープ６６のうち止水シート６５だけを有していてもよい。要は、止水部材６１，６２や止水役物６３は、変形可能なシート部材や薄板部材により形成され、外壁下地１６と外壁面材１５及びサッシ枠２１との間に挟まった状態で設けられていればよい。
【符号の説明】
【００９７】
１０…建物、１１…外壁部、１２…壁開口部としての窓部、１５…外壁面材、１５Ａ…横並び面材、１５Ｂ…縦並び面材としての上側面材、１５Ｃ…縦並び面材としての下側面材、１６…外壁下地、２１…サッシ枠、２１ａ…縦枠部、２１ｂ…横枠部としての上枠部、２１ｃ…横枠部としての下枠部、２２…縦下地材としてのサッシ沿い縦材、２６…横下地材としての上側横材、２６ａ…面材用横部材、２６ｂ…サッシ用横部材、２７…横下地材としての下側横材、２７ａ…面材用横部材、２７ｂ…サッシ用横部材、３６…面材支持部、５２…背面止水層、６１…横止水部材としての第１止水部材、６１ａ…面材側入り込み部としての入り込み部、６１ｂ…サッシ側入り込み部としての入り込み部、６１ｃ…接続部、６２…縦止水部材としての第２止水部材、６３…止水役物、７１…役物縦部、７２…役物横部、７２ａ…面材側入り込み部としての入り込み部、７２ｂ…サッシ側入り込み部としての入り込み部、７２ｃ…接続部、７５…サッシ側縦テープ部、７６…面材側縦テープ部。
【図１】
2015094180.tif 000003
【図２】
2015094180.tif 000004
【図３】
2015094180.tif 000005
【図４】
2015094180.tif 000006
【図５】
2015094180.tif 000007
【図６】
2015094180.tif 000008
【図７】
2015094180.tif 000009